(57)【特許請求の範囲】
【請求項１】
システム情報（ＳＩ）を送信するための方法であって、
最小ＳＩメッセージを送信することであって、前記最小ＳＩメッセージが、少なくとも１つの追加のＳＩメッセージの送信に関する情報を備える、送信すること（６０２）と、
前記最小ＳＩメッセージ中の前記情報に従って前記少なくとも１つの追加のＳＩメッセージを送信すること（６０４）と
を含み、
前記最小ＳＩメッセージは、前記少なくとも１つの追加のＳＩメッセージの前記送信を指示するためのインジケータを備え、前記インジケータは、前記少なくとも１つの追加のＳＩメッセージが周期的にブロードキャストされることをさらに指示し、
前記最小ＳＩメッセージは、ユーザ機器（ＵＥ）がＳＩ要求を送ることを許可されているかどうかを指示し、
前記インジケータは、前記ＵＥからの要求に応答してセットされる、
方法。
【請求項２】
前記少なくとも１つの追加のＳＩメッセージの送信期間（ＴＰ）が、前記最小ＳＩメッセージのＴＰの整数倍である、請求項１に記載の方法。
【請求項３】
前記インジケータが、第１の指示モードまたは第２の指示モードによって前記少なくとも１つの追加のＳＩメッセージの前記送信を指示し、
前記第１の指示モードが、前記最小ＳＩメッセージの現在の送信ウィンドウ（ＴＷ）に続く前記少なくとも１つの追加のＳＩメッセージのＴＷ中での、前記少なくとも１つの追加のＳＩメッセージの前記送信を指示し、
前記第２の指示モードが、前記最小ＳＩメッセージの前記現在のＴＷと同じである前記少なくとも１つの追加のＳＩメッセージのＴＷ中での、前記少なくとも１つの追加のＳＩメッセージの前記送信を指示する、請求項１または２に記載の方法。
【請求項４】
少なくとも１つの追加のＳＩメッセージを送信すること（６０４）は、
少なくとも２つの追加のＳＩメッセージのうちの最も大きいＴＰを有する追加のＳＩメッセージが送信されるまで、前記少なくとも２つの追加のＳＩメッセージのそれぞれのＴＰに従って前記少なくとも２つの追加のＳＩメッセージを送信することであって、その結果、より小さいＴＰを有する追加のＳＩメッセージが２回以上送信される、送信すること（７０４−２）
を含む、請求項１から３のいずれか一項に記載の方法。
【請求項５】
少なくとも１つの追加のＳＩメッセージを送信すること（６０４）が、
前記少なくとも１つの追加のＳＩメッセージの各々を、前記少なくとも１つの追加のＳＩメッセージの各々の所定の時間の間、前記各追加のＳＩメッセージのＴＰに従って送信すること（７０４−３）
を含む、請求項１から３のいずれか一項に記載の方法。
【請求項６】
少なくとも１つの追加のＳＩメッセージを送信すること（６０４）が、
少なくとも２つの追加のＳＩメッセージ間の整合ＴＷ中でのみ、前記少なくとも２つの追加のＳＩメッセージを送信すること（７０４−４）
を含む、請求項１から３のいずれか一項に記載の方法。
【請求項７】
少なくとも１つの追加のＳＩメッセージを送信すること（６０４）が、
少なくとも２つの追加のＳＩメッセージのうちの最も小さいＴＰを有する追加のＳＩメッセージのためのＴＷ中で前記少なくとも２つの追加のＳＩメッセージを送信すること（７０４−５）
を含む、請求項１から３のいずれか一項に記載の方法。
【請求項８】
少なくとも１つの追加のＳＩメッセージを送信すること（６０４）が、
前記最小ＳＩメッセージのＴＷ中で前記少なくとも１つの追加のＳＩメッセージを送信すること（７０４−６）
を含む、請求項１から３のいずれか一項に記載の方法。
【請求項９】
繰り返されるＳＩメッセージ送信のための反復バージョンが調整される、請求項４または５に記載の方法。
【請求項１０】
前記少なくとも１つの追加のＳＩメッセージの各々についての繰返しの数が、
セルのカバレッジサイズと、
前記ＵＥからの前記要求の受信信号強度と、
要求されたＳＩメッセージの重要性と
のうちの１つ、またはそれらの組合せに基づいて決定される、請求項５に記載の方法。
【請求項１１】
前記インジケータは、前記少なくとも１つの追加のＳＩメッセージの前記送信が終了されるまで、オンにセットされるか、または
前記インジケータは、前記少なくとも１つの追加のＳＩメッセージの前記送信の前にのみオンにセットされる、請求項１から１０のいずれか一項に記載の方法。
【請求項１２】
前記インジケータが、前記少なくとも１つの追加のＳＩメッセージのすべてについての前記送信を全体として指示するか、または
前記インジケータが、前記少なくとも１つの追加のＳＩメッセージの各々についての前記送信をそれぞれ指示する、請求項１から１１のいずれか一項に記載の方法。
【請求項１３】
前記最小ＳＩメッセージ中の前記インジケータが、ＳＩ要求を送らないようにＵＥに通知するための所定の値を有する、請求項１に記載の方法。
【請求項１４】
システム情報（ＳＩ）を受信するための方法であって、
基地局（ＢＳ）から最小ＳＩメッセージを受信すること（８０２）であって、前記最小ＳＩメッセージが、少なくとも１つの追加のＳＩメッセージの送信に関する情報を備える、受信することと、
前記最小ＳＩメッセージ中の前記情報に従って前記ＢＳから前記少なくとも１つの追加のＳＩメッセージを取得すること（８０４）と
を含み、
前記最小ＳＩメッセージは、前記少なくとも１つの追加のＳＩメッセージの前記送信を指示するためのインジケータを備え、前記インジケータは、前記少なくとも１つの追加のＳＩメッセージが周期的にブロードキャストされることをさらに指示し、
前記最小ＳＩメッセージは、ユーザ機器（ＵＥ）がＳＩ要求を送ることを許可されているかどうかを指示する、
方法。
【請求項１５】
前記少なくとも１つの追加のＳＩメッセージの送信期間（ＴＰ）が、前記最小ＳＩメッセージのＴＰの整数倍である、請求項１４に記載の方法。
【請求項１６】
少なくとも１つの追加のＳＩメッセージを取得すること（８０４）は、
前記少なくとも１つの追加のＳＩメッセージ中の追加のＳＩメッセージについて、前記インジケータに基づいて前記追加のＳＩメッセージが送信されるべきであるかどうかを決定すること（９１０）と、
肯定の決定結果に応答して、前記インジケータに従って前記追加のＳＩメッセージを受信すること（９１２）と、
否定の決定結果に応答して、前記追加のＳＩメッセージについての要求を前記ＢＳに送信すること（９１４）と
を含む、請求項１４または１５に記載の方法。
【請求項１７】
少なくとも１つの追加のＳＩメッセージを取得すること（８０４）が、
少なくとも２つの追加のＳＩメッセージ間の整合送信ウィンドウ（ＴＷ）中でのみ、前記少なくとも２つの追加のＳＩメッセージを受信すること
を含む、請求項１６に記載の方法。
【請求項１８】
少なくとも１つの追加のＳＩメッセージを取得すること（８０４）が、
少なくとも２つの追加のＳＩメッセージのうちの最も小さいＴＰを有する追加のＳＩメッセージのためのＴＷ中で前記少なくとも２つの追加のＳＩメッセージを受信すること
を含む、請求項１６に記載の方法。
【請求項１９】
少なくとも１つの追加のＳＩメッセージを取得すること（８０４）が、
前記最小ＳＩメッセージのＴＷ中で前記少なくとも１つの追加のＳＩメッセージを受信すること
を含む、請求項１６に記載の方法。
【請求項２０】
前記インジケータが、前記少なくとも１つの追加のＳＩメッセージのすべてについての前記送信を全体として指示するか、または
前記インジケータが、前記少なくとも１つの追加のＳＩメッセージの各々についての前記送信をそれぞれ指示する、請求項１４から１９のいずれか一項に記載の方法。
【請求項２１】
前記最小ＳＩメッセージ中の前記インジケータが、ＳＩ要求を送らないようにＵＥに通知するための所定の値を有する、請求項１４に記載の方法。
【請求項２２】
システム情報（ＳＩ）を送信することが可能な基地局（ＢＳ）（１０００）であって、
プロセッサ（１００２）と、
メモリ（１００４）と
を備え、前記メモリ（１００４）は、前記プロセッサ（１００２）によって実行可能な命令を含んでおり、したがって、前記ＢＳ（１０００）は、
最小ＳＩメッセージを送信することであって、前記最小ＳＩメッセージが、少なくとも１つの追加のＳＩメッセージの送信に関する情報を備える、送信することと、
前記最小ＳＩメッセージ中の前記情報に従って前記少なくとも１つの追加のＳＩメッセージを送信することと
を行うように動作可能であり、
前記最小ＳＩメッセージは、前記少なくとも１つの追加のＳＩメッセージの前記送信を指示するためのインジケータを備え、前記インジケータは、前記少なくとも１つの追加のＳＩメッセージが周期的にブロードキャストされることをさらに指示し、
前記最小ＳＩメッセージは、ユーザ機器（ＵＥ）がＳＩ要求を送ることを許可されているかどうかを指示し、
前記インジケータは、前記ＵＥからの要求に応答してセットされる、
基地局（ＢＳ）（１０００）。
【請求項２３】
前記少なくとも１つの追加のＳＩメッセージの送信期間（ＴＰ）が、前記最小ＳＩメッセージのＴＰの整数倍である、請求項２２に記載のＢＳ（１０００）。
【請求項２４】
前記インジケータが、第１の指示モードまたは第２の指示モードによって前記少なくとも１つの追加のＳＩメッセージの前記送信を指示し、
前記第１の指示モードが、前記最小ＳＩメッセージの現在の送信ウィンドウ（ＴＷ）に続く前記少なくとも１つの追加のＳＩメッセージのＴＷ中での、前記少なくとも１つの追加のＳＩメッセージの前記送信を指示し、
前記第２の指示モードが、前記最小ＳＩメッセージの前記現在のＴＷと同じである前記少なくとも１つの追加のＳＩメッセージのＴＷ中での、前記少なくとも１つの追加のＳＩメッセージの前記送信を指示する、請求項２２または２３に記載のＢＳ（１０００）。
【請求項２５】
前記命令が前記プロセッサ（１００２）によって実行可能であり、したがって、前記ＢＳ（１０００）は、少なくとも１つの追加のＳＩメッセージを、
少なくとも２つの追加のＳＩメッセージのうちの最も大きいＴＰを有する追加のＳＩメッセージが送信されるまで、前記少なくとも２つの追加のＳＩメッセージのそれぞれのＴＰに従って前記少なくとも２つの追加のＳＩメッセージを送信することであって、その結果、より小さいＴＰを有する追加のＳＩメッセージが２回以上送信される、送信すること
によって、送信するように動作可能である、請求項２２から２４のいずれか一項に記載のＢＳ（１０００）。
【請求項２６】
前記命令が前記プロセッサ（１００２）によって実行可能であり、したがって、前記ＢＳ（１０００）が、少なくとも１つの追加のＳＩメッセージを、
前記少なくとも１つの追加のＳＩメッセージの各々を、前記少なくとも１つの追加のＳＩメッセージの各々の所定の時間の間、前記各追加のＳＩメッセージのＴＰに従って送信すること
によって、送信するように動作可能である、請求項２２から２４のいずれか一項に記載のＢＳ（１０００）。
【請求項２７】
前記命令が前記プロセッサ（１００２）によって実行可能であり、したがって、前記ＢＳ（１０００）が、少なくとも１つの追加のＳＩメッセージを、
少なくとも２つの追加のＳＩメッセージ間の整合ＴＷ中でのみ、前記少なくとも２つの追加のＳＩメッセージを送信すること
によって、送信するように動作可能である、請求項２２から２４のいずれか一項に記載のＢＳ（１０００）。
【請求項２８】
前記命令が前記プロセッサ（１００２）によって実行可能であり、したがって、前記ＢＳ（１０００）が、少なくとも１つの追加のＳＩメッセージを、
少なくとも２つの追加のＳＩメッセージのうちの最も小さいＴＰを有する追加のＳＩメッセージのためのＴＷ中で前記少なくとも２つの追加のＳＩメッセージを送信すること
によって、送信するように動作可能である、請求項２２から２４のいずれか一項に記載のＢＳ（１０００）。
【請求項２９】
前記命令が前記プロセッサ（１００２）によって実行可能であり、したがって、前記ＢＳ（１０００）が、少なくとも１つの追加のＳＩメッセージを、
前記最小ＳＩメッセージのＴＷ中で前記少なくとも１つの追加のＳＩメッセージを送信すること
によって、送信するように動作可能である、請求項２２から２４のいずれか一項に記載のＢＳ（１０００）。
【請求項３０】
システム情報（ＳＩ）を受信することが可能なユーザ機器（ＵＥ）（１１００）であって、
プロセッサ（１１０２）と、
メモリ（１１０４）と
を備え、前記メモリ（１１０４）は、前記プロセッサ（１１０２）によって実行可能な命令を含んでおり、したがって、前記ＵＥ（１１００）は、
基地局（ＢＳ）から最小ＳＩメッセージを受信することであって、前記最小ＳＩメッセージが、少なくとも１つの追加のＳＩメッセージの送信に関する情報を備える、受信することと、
前記最小ＳＩメッセージ中の前記情報に従って前記ＢＳから前記少なくとも１つの追加のＳＩメッセージを取得することと
を行うように動作可能であり、
前記最小ＳＩメッセージが、前記少なくとも１つの追加のＳＩメッセージの前記送信を指示するためのインジケータを備え、前記インジケータは、前記少なくとも１つの追加のＳＩメッセージが周期的にブロードキャストされることをさらに指示し、
前記最小ＳＩメッセージは、ＵＥがＳＩ要求を送ることを許可されているかどうかを指示する、
ユーザ機器（ＵＥ）（１１００）。
【請求項３１】
前記少なくとも１つの追加のＳＩメッセージの送信期間（ＴＰ）が、前記最小ＳＩメッセージのＴＰの整数倍である、請求項３０に記載のＵＥ（１１００）。
【請求項３２】
前記命令が前記プロセッサ（１１０２）によって実行可能であり、したがって、前記ＵＥ（１１００）は、少なくとも１つの追加のＳＩメッセージを、
前記少なくとも１つの追加のＳＩメッセージ中の追加のＳＩメッセージについて、前記インジケータに基づいて前記追加のＳＩメッセージが送信されるべきであるかどうかを決定することと、
肯定の決定結果に応答して、前記インジケータに従って前記追加のＳＩメッセージを受信することと、
否定の決定結果に応答して、前記追加のＳＩメッセージについての要求を前記ＢＳに送信することと
によって、取得するように動作可能である、請求項３０または３１に記載のＵＥ（１１００）。
【請求項３３】
前記命令が前記プロセッサ（１１０２）によって実行可能であり、したがって、前記ＵＥ（１１００）が、少なくとも１つの追加のＳＩメッセージを、
少なくとも２つの追加のＳＩメッセージ間の整合送信ウィンドウ（ＴＷ）中でのみ、前記少なくとも２つの追加のＳＩメッセージを受信すること
によって、取得するように動作可能である、請求項３２に記載のＵＥ（１１００）。
【請求項３４】
前記命令が前記プロセッサ（１１０２）によって実行可能であり、したがって、前記ＵＥ（１１００）が、少なくとも１つの追加のＳＩメッセージを、
少なくとも２つの追加のＳＩメッセージのうちの最も小さいＴＰを有する追加のＳＩメッセージのためのＴＷ中で前記少なくとも２つの追加のＳＩメッセージを受信すること
によって、取得するように動作可能である、請求項３２に記載のＵＥ（１１００）。
【請求項３５】
前記命令が前記プロセッサ（１１０２）によって実行可能であり、したがって、前記ＵＥ（１１００）が、少なくとも１つの追加のＳＩメッセージを、
前記最小ＳＩメッセージのＴＷ中で前記少なくとも１つの追加のＳＩメッセージを受信すること
によって、取得するように動作可能である、請求項３２に記載のＵＥ（１１００）。
【請求項３６】
前記インジケータが、前記少なくとも１つの追加のＳＩメッセージのすべてについての前記送信を全体として指示するか、または
前記インジケータが、前記少なくとも１つの追加のＳＩメッセージの各々についての前記送信をそれぞれ指示する、請求項３０から３５のいずれか一項に記載のＵＥ（１１００）。
【請求項３７】
少なくとも１つのプロセッサによって実行されたとき、前記少なくとも１つのプロセッサに、請求項１から１３のいずれか一項に記載の方法を実施させる命令を備える、コンピュータプログラム。
【請求項３８】
少なくとも１つのプロセッサによって実行されたとき、前記少なくとも１つのプロセッサに、請求項１４から２１のいずれか一項に記載の方法を実施させる命令を備える、コンピュータプログラム。
【請求項３９】
少なくとも１つのプロセッサによって実行されたとき、前記少なくとも１つのプロセッサに、請求項１から１３のいずれか一項に記載の方法を実施させる命令を備える、コンピュータ可読記憶媒体。
【請求項４０】
少なくとも１つのプロセッサによって実行されたとき、前記少なくとも１つのプロセッサに、請求項１４から２１のいずれか一項に記載の方法を実施させる命令を備える、コンピュータ可読記憶媒体。
【発明の詳細な説明】
【技術分野】
【０００１】
本開示の実施形態は、一般に無線通信に関し、より詳細には、システム情報を送受信するための方法、基地局およびユーザ機器に関する。
【背景技術】
【０００２】
ｌｏｎｇ  ｔｅｒｍ  ｅｖｏｌｕｔｉｏｎ（ＬＴＥ）ネットワークなどの無線通信ネットワークでは、システム情報（ＳＩ）は、たとえば、送信帯域幅、チャネル設定、セル負荷および電力制御パラメータなど、ユーザ機器（ＵＥ）がどのようにセルと通信するかに関する公開情報である。ＬＴＥ規格では、ＳＩはシステム情報ブロック（ＳＩＢ）によって構造化され、ＳＩＢの各々は、機能的に関係するパラメータのセットを含んでいる。規定されているＳＩＢタイプは、マスタ情報ブロック（ＭＩＢ）タイプと、システム情報ブロックタイプ１〜１３（ＳＩＢ１〜ＳＩＢ１３）とを含む。
【０００３】
ＭＩＢは、ネットワークへのＵＥの初期アクセスにとって不可欠である、限られた数の最も頻繁に送信されるパラメータを含む。ＳＩＢ１は、セルがセル選択に好適であるかどうかを決定するために必要とされるパラメータ、ならびに他のＳＩＢの時間領域スケジューリングに関する情報を含んでいる。ＳＩＢ２は、共通および共有チャネル情報を含む。ＳＩＢ３〜ＳＩＢ８は、周波数内、周波数間、および無線アクセス技術（ＲＡＴ）間セル再選択を制御するために使用されるパラメータを含む。ＳＩＢ９は、ホーム発展型ノードＢ（ＨｅＮＢ）の名前をシグナリングするために使用される。ＳＩＢ１０〜ＳＩＢ１２は、地震および津波警報サービス（ＥＴＷＳ：ｅａｒｔｈｑｕａｋｅ  ａｎｄ  ｔｓｕｎａｍｉ  ｗａｒｎｉｎｇ  ｓｅｒｖｉｃｅ）通知と、商業モバイル警報システム（ＣＭＡＳ：ｃｏｍｍｅｒｃｉａｌ  ｍｏｂｉｌｅ  ａｌｅｒｔ  ｓｙｓｔｅｍ）警告メッセージとを含む。ＳＩＢ１３は、マルチメディアブロードキャストマルチキャストサービス（ＭＢＭＳ）関係制御情報を含む。より多くのＳＩＢが、最近のＬＴＥリリースにおいて導入された。
【０００４】
第３世代パートナーシッププロジェクト（３ＧＰＰ）において、５Ｇ新無線（ＮＲ）システムにおけるＳＩに関して、いくつかの合意が達せられた。ＬＴＥと比較してＮＲシステムにおいて行われたいくつかの変更がある。したがって、ＮＲシステムにおけるＳＩ送信および受信のためのソリューションを提供することが望ましいであろう。
【発明の概要】
【０００５】
本発明の概要は、発明を実施するための形態において以下でさらに説明される概念の選択を簡略化された形で紹介するために与えられる。本発明の概要は、請求される主題の主要な特徴または不可欠な特徴を識別するものではなく、請求される主題の範囲を限定するために使用されるものでもない。
【０００６】
本開示の目的のうちの１つは、ＮＲシステムにおけるシステム情報送信および受信のためのソリューションを提供することである。
【０００７】
本開示の一態様によれば、システム情報（ＳＩ）を送信するための方法が提供される。本方法は、最小ＳＩメッセージを送信することを含む。最小ＳＩメッセージは、少なくとも１つの追加のＳＩメッセージの送信に関する情報を備える。本方法は、最小ＳＩメッセージ中の情報に従って少なくとも１つの追加のＳＩメッセージを送信することをさらに含む。最小ＳＩメッセージは、少なくとも１つの追加のＳＩメッセージの送信を指示するためのインジケータを備える。インジケータは、少なくとも１つの追加のＳＩメッセージが周期的にブロードキャストされることをさらに指示する。
【０００８】
本開示の一実施形態では、少なくとも１つの追加のＳＩメッセージの送信期間（ＴＰ）は、最小ＳＩメッセージのＴＰの整数倍である。
【０００９】
本開示の一実施形態では、インジケータは、第１の指示モードまたは第２の指示モードによって少なくとも１つの追加のＳＩメッセージの送信を指示する。第１の指示モードは、最小ＳＩメッセージの現在の送信ウィンドウ（ＴＷ）に続く少なくとも１つの追加のＳＩメッセージのＴＷ中での、少なくとも１つの追加のＳＩメッセージの送信を指示する。第２の指示モードは、最小ＳＩメッセージの現在のＴＷと同じである少なくとも１つの追加のＳＩメッセージのＴＷ中での、少なくとも１つの追加のＳＩメッセージの送信を指示する。
【００１０】
本開示の一実施形態では、インジケータは、ユーザ機器（ＵＥ）からの要求に応答してセットされる。少なくとも１つの追加のＳＩメッセージを送信することは、少なくとも２つの追加のＳＩメッセージのうちの最も大きいＴＰを有する追加のＳＩメッセージが送信されるまで、少なくとも２つの追加のＳＩメッセージのそれぞれのＴＰに従って少なくとも２つの追加のＳＩメッセージを送信することであって、その結果、より小さいＴＰを有する追加のＳＩメッセージが２回以上送信される、送信することを含む。
【００１１】
本開示の一実施形態では、インジケータは、ＵＥからの要求に応答してセットされる。少なくとも１つの追加のＳＩメッセージを送信することは、少なくとも１つの追加のＳＩメッセージの各々を、少なくとも１つの追加のＳＩメッセージの各々の所定の時間の間、各追加のＳＩメッセージのＴＰに従って送信することを含む。
【００１２】
本開示の一実施形態では、インジケータは、ＵＥからの要求に応答してセットされる。少なくとも１つの追加のＳＩメッセージを送信することは、少なくとも２つの追加のＳＩメッセージ間の整合ＴＷ（ａｌｉｇｎｅｄ  ＴＷ）中でのみ、少なくとも２つの追加のＳＩメッセージを送信することを含む。
【００１３】
本開示の一実施形態では、インジケータは、ＵＥからの要求に応答してセットされる。少なくとも１つの追加のＳＩメッセージを送信することは、少なくとも２つの追加のＳＩメッセージのうちの最も小さいＴＰを有する追加のＳＩメッセージのためのＴＷ中で少なくとも２つの追加のＳＩメッセージを送信することを含む。
【００１４】
本開示の一実施形態では、インジケータは、ＵＥからの要求に応答してセットされる。少なくとも１つの追加のＳＩメッセージを送信することは、最小ＳＩメッセージのＴＷ中で少なくとも１つの追加のＳＩメッセージを送信することを含む。
【００１５】
本開示の一実施形態では、繰り返されるＳＩメッセージ送信のための反復バージョンが調整される。
【００１６】
本開示の一実施形態では、少なくとも１つの追加のＳＩメッセージの各々についての繰返しの数は、セルのカバレッジサイズと、ＵＥからの要求の受信信号強度と、要求されたＳＩメッセージの重要性とのうちの１つ、またはそれらの組合せに基づいて決定される。
【００１７】
本開示の一実施形態では、インジケータは、少なくとも１つの追加のＳＩメッセージの送信が終了されるまで、オンにセットされる。代替的に、インジケータは、少なくとも１つの追加のＳＩメッセージの送信の前にのみオンにセットされる。
【００１８】
本開示の一実施形態では、インジケータは、少なくとも１つの追加のＳＩメッセージのすべてについての送信を全体として指示する。代替的に、インジケータは、少なくとも１つの追加のＳＩメッセージの各々についての送信をそれぞれ指示する。
【００１９】
本開示の一実施形態では、最小ＳＩメッセージは、ＵＥがＳＩ要求を送ることを許可されているかどうかを指示する。
【００２０】
本開示の一実施形態では、最小ＳＩメッセージ中のインジケータは、ＳＩ要求を送らないようにＵＥに通知するための所定の値を有する。
【００２１】
本開示の別の態様によれば、システム情報（ＳＩ）を受信するための方法が提供される。本方法は、基地局（ＢＳ）から最小ＳＩメッセージを受信することを含む。最小ＳＩメッセージは、少なくとも１つの追加のＳＩメッセージの送信に関する情報を備える。本方法は、最小ＳＩメッセージ中の情報に従ってＢＳから少なくとも１つの追加のＳＩメッセージを取得することをさらに含む。最小ＳＩメッセージは、少なくとも１つの追加のＳＩメッセージの送信を指示するためのインジケータを備える。インジケータは、少なくとも１つの追加のＳＩメッセージが周期的にブロードキャストされることをさらに指示する。
【００２２】
本開示の一実施形態では、少なくとも１つの追加のＳＩメッセージの送信期間（ＴＰ）は、最小ＳＩメッセージのＴＰの整数倍である。
【００２３】
本開示の一実施形態では、少なくとも１つの追加のＳＩメッセージを取得することは、少なくとも１つの追加のＳＩメッセージ中の追加のＳＩメッセージについて、インジケータに基づいて追加のＳＩメッセージが送信されるべきであるかどうかを決定することを含む。少なくとも１つの追加のＳＩメッセージを取得することは、肯定の決定結果に応答して、インジケータに従って追加のＳＩメッセージを受信することを含む。少なくとも１つの追加のＳＩメッセージを取得することは、否定の決定結果に応答して、追加のＳＩメッセージについての要求をＢＳに送信することを含む。
【００２４】
本開示の一実施形態では、少なくとも１つの追加のＳＩメッセージを取得することは、少なくとも２つの追加のＳＩメッセージ間の整合送信ウィンドウ（ＴＷ）中でのみ、少なくとも２つの追加のＳＩメッセージを受信することを含む。
【００２５】
本開示の一実施形態では、少なくとも１つの追加のＳＩメッセージを取得することは、少なくとも２つの追加のＳＩメッセージのうちの最も小さいＴＰを有する追加のＳＩメッセージのためのＴＷ中で少なくとも２つの追加のＳＩメッセージを受信することを含む。
【００２６】
本開示の一実施形態では、少なくとも１つの追加のＳＩメッセージを取得することは、最小ＳＩメッセージのＴＷ中で少なくとも１つの追加のＳＩメッセージを受信することを含む。
【００２７】
本開示の一実施形態では、インジケータは、少なくとも１つの追加のＳＩメッセージのすべてについての送信を全体として指示する。代替的に、インジケータは、少なくとも１つの追加のＳＩメッセージの各々についての送信をそれぞれ指示する。
【００２８】
本開示の別の態様によれば、システム情報（ＳＩ）を送信することが可能な基地局（ＢＳ）が提供される。ＢＳはプロセッサとメモリとを備える。メモリは、プロセッサによって実行可能な命令を含んでおり、したがって、ＢＳは、最小ＳＩメッセージを送信するように動作可能である。最小ＳＩメッセージは、少なくとも１つの追加のＳＩメッセージの送信に関する情報を備える。メモリは、プロセッサによって実行可能な命令を含んでおり、したがって、ＢＳは、最小ＳＩメッセージ中の情報に従って少なくとも１つの追加のＳＩメッセージを送信するようにさらに動作可能である。最小ＳＩメッセージは、少なくとも１つの追加のＳＩメッセージの送信を指示するためのインジケータを備える。インジケータは、少なくとも１つの追加のＳＩメッセージが周期的にブロードキャストされることをさらに指示する。
【００２９】
本開示の別の態様によれば、システム情報（ＳＩ）を受信することが可能なユーザ機器（ＵＥ）が提供される。ＵＥはプロセッサとメモリとを備える。メモリは、プロセッサによって実行可能な命令を含んでおり、したがって、ＵＥは、基地局（ＢＳ）から最小ＳＩメッセージを受信するように動作可能である。最小ＳＩメッセージは、少なくとも１つの追加のＳＩメッセージの送信に関する情報を備える。メモリは、プロセッサによって実行可能な命令を含んでおり、したがって、ＵＥは、最小ＳＩメッセージ中の情報に従ってＢＳから少なくとも１つの追加のＳＩメッセージを取得するようにさらに動作可能である。最小ＳＩメッセージは、少なくとも１つの追加のＳＩメッセージの送信を指示するためのインジケータを備える。インジケータは、少なくとも１つの追加のＳＩメッセージが周期的にブロードキャストされることをさらに指示する。
【００３０】
本開示の別の態様によれば、コンピュータプログラム製品が提供される。コンピュータプログラム製品は、少なくとも１つのプロセッサによって実行されたとき、少なくとも１つのプロセッサに、上記の態様による方法を実施させる命令を備える。
【００３１】
本開示の別の態様によれば、コンピュータ可読記憶媒体が提供される。コンピュータ可読記憶媒体は、少なくとも１つのプロセッサによって実行されたとき、少なくとも１つのプロセッサに、上記の態様による方法を実施させる命令を備える。
【００３２】
本開示の別の態様によれば、システム情報（ＳＩ）を送信することが可能な基地局（ＢＳ）が提供される。ＢＳは、最小ＳＩメッセージを送信するための最小ＳＩメッセージ送信モジュールを備える。最小ＳＩメッセージは、少なくとも１つの追加のＳＩメッセージの送信に関する情報を備える。ＢＳは、最小ＳＩメッセージ中の情報に従って少なくとも１つの追加のＳＩメッセージを送信するための追加ＳＩメッセージ送信モジュールをさらに備える。最小ＳＩメッセージは、少なくとも１つの追加のＳＩメッセージの送信を指示するためのインジケータを備える。インジケータは、少なくとも１つの追加のＳＩメッセージが周期的にブロードキャストされることをさらに指示する。
【００３３】
本開示の別の態様によれば、システム情報（ＳＩ）を受信することが可能なユーザ機器（ＵＥ）が提供される。ＵＥは、基地局（ＢＳ）から最小ＳＩメッセージを受信するための受信モジュールを備える。最小ＳＩメッセージは、少なくとも１つの追加のＳＩメッセージの送信に関する情報を備える。ＵＥは、最小ＳＩメッセージ中の情報に従ってＢＳから少なくとも１つの追加のＳＩメッセージを取得するための取得モジュールをさらに備える。最小ＳＩメッセージは、少なくとも１つの追加のＳＩメッセージの送信を指示するためのインジケータを備える。インジケータは、少なくとも１つの追加のＳＩメッセージが周期的にブロードキャストされることをさらに指示する。
【００３４】
本開示のこれらおよび他の目的、特徴および利点は、添付の図面とともに読み取られるべきである、本開示の例示的な実施形態の以下の詳細な説明から明らかになろう。
【図面の簡単な説明】
【００３５】
【図１Ａ】本開示の第１の方式を示す図である。
【図１Ｂ】本開示の第１の方式を示す図である。
【図２Ａ】本開示の第２の方式を示す図である。
【図２Ｂ】本開示の第２の方式を示す図である。
【図３Ａ】本開示の第３の方式を示す図である。
【図３Ｂ】本開示の第３の方式を示す図である。
【図４Ａ】本開示の第４の方式を示す図である。
【図４Ｂ】本開示の第４の方式を示す図である。
【図５Ａ】本開示の第５の方式を示す図である。
【図５Ｂ】本開示の第５の方式を示す図である。
【図６】本開示の一実施形態による、システム情報を送信するための方法を示すフローチャートである。
【図７】図６の方法を説明するためのフローチャートである。
【図８】本開示の一実施形態による、システム情報を受信するための方法を示すフローチャートである。
【図９】図８の方法を説明するためのフローチャートである。
【図１０】本開示の一実施形態による、基地局を示すブロック図である。
【図１１】本開示の一実施形態による、ユーザ機器を示すブロック図である。
【発明を実施するための形態】
【００３６】
説明の目的で、以下の説明では、開示される実施形態の完全な理解を与えるために詳細が記載される。しかしながら、実施形態が、これらの具体的な詳細なしに、または等価な構成を用いて実装され得ることは、当業者には明らかである。
【００３７】
上述のように、ＬＴＥにおけるシステム情報（ＳＩ）は、ＳＩＢによって構造化される。規定されているＳＩＢタイプは、ＭＩＢとＳＩＢ１〜ＳＩＢ１３とを含む。システム情報を転送するために、３つのタイプの無線リソース制御（ＲＲＣ）メッセージが使用される。３つのタイプのＲＲＣメッセージは、ＭＩＢメッセージ、ＳＩＢ１メッセージおよびＳＩメッセージである。いくつかのタイプのＳＩメッセージがある。各タイプのＳＩメッセージは、同じスケジューリング要件（たとえば、同じ送信周期性）を有する１つまたは複数のＳＩＢを含む。以下の表１は、可能なシステム情報スケジューリング設定の例を与える。表１はまた、ＵＥがアイドル状態および接続状態においてどのＳＩＢを収集しなければならないかを示す。
0006899440.tif 000002
【００３８】
５Ｇ  ＮＲでは、システム情報は、最小ＳＩと他のＳＩとに分類される。最小ＳＩは、ＵＥがネットワークにどのようにアクセスすべきかを知り得るためにＵＥが読み取らなければならないＳＩである。他のＳＩは、最小ＳＩ内にないＳＩである。最小ＳＩは、ＬＴＥにおけるＭＩＢとＳＩＢ１とＳＩＢ２とに対応することになる。他のＳＩは、それらの残りのＳＩに対応することになる。
【００３９】
ＮＲシステムに関する第３世代パートナーシッププロジェクト（３ＧＰＰ）によって達せられたいくつかの合意に従って、オンデマンドＳＩ送信が導入されることになる。その上、他のＳＩの送信は最小ＳＩによって指示され、ＬＴＥにおけるＳＩ送信ウィンドウはＮＲの場合のベースラインである。複数のＳＩがあり得、異なるＳＩの送信周期性が異なり得るので、他のＳＩの送信を指示するための機構と、基地局（ＢＳ）が要求されたＳＩを送信するための方法と、ＵＥがＳＩを受信および要求するための方法とを提供することが望ましいであろう。
【００４０】
本開示は、ＳＩ送信および受信のための一連の方式を提案する。これらの方式は、（セルとも呼ばれる）カバレッジエリア中の通信関係サービスをサポートするＢＳを備える、無線通信システムに適用され得る。ＢＳはまた、カバレッジエリア内の少なくとも１つのＵＥと通信することが可能である。ＢＳと少なくとも１つのＵＥとの間の通信は、ＣＤＭＡ、ＴＤＭＡ、ＦＤＭＡ、ＯＦＤＭＡなどの任意の無線通信規格を採用し得る。ＢＳは、たとえば、ＮＲにおけるｇＮＢであり得る。ＵＥは、たとえば、デバイス、移動局、モバイルユニット、加入者局、無線端末、端末などと呼ばれることがある。ＵＥは、モバイルまたは固定であり得、たとえば、無線フォンなどの無線ハンドヘルドデバイス、ネットワークへの無線接続をもつコンピュータ、無線プラグインアクセサリなどであり得る。
【００４１】
以下で、方式のうちのいくつかが、図１〜図５を参照しながら詳細に説明される。説明しやすいように、例示的な例として、ＳＩの４つのタイプ、すなわち、最小ＳＩ、ＳＩ１、ＳＩ２およびＳＩ３があると仮定される。各ＳＩは、異なる送信期間（ＴＰ）を有する。最小ＳＩのＴＰはＴであり、ＳＩ１のＴＰは２Ｔであり、ＳＩ２のＴＰは４Ｔであり、ＳＩ３のＴＰは８Ｔである。この例では、他のＳＩのＴＰは、最小ＳＩのＴＰの２のべき乗倍である。しかしながら、本開示の原理は、他のＳＩのＴＰが最小ＳＩのＴＰの整数倍である限り機能することができることを、当業者は理解されよう。説明しやすいように、一般的な例として、ＵＥがＢＳに３つの他のＳＩのすべてを送信することを要求することも仮定される。最小ＳＩ、ＳＩ１、ＳＩ２、およびＳＩ３の各々が任意の好適なメッセージ中で送信され得ることに留意されたい。したがって、以下で述べられる用語「最小ＳＩ」、「ＳＩ１」、「ＳＩ２」および「ＳＩ３」は、それらの対応するメッセージをも表し得る。
【００４２】
図１Ａおよび図１Ｂは、本開示の第１の方式を示す図である。図示のように、他のＳＩの各々について、インジケータ中に対応するビットがある。ビット値１は、送信があることを示すが、ビット値０は、送信がないことを示す。したがって、インジケータは、他のＳＩのうちの少なくとも１つの送信に関する情報に対応する。最小ＳＩのＴＰはＴである。すなわち、最小ＳＩのための送信ウィンドウ（ＴＷ）は、Ｔごとに発生する。ＳＩのためのＴＷは、ＳＩが送信される持続時間を指す。たとえば、図１Ａ中の最小ＳＩのための第１のＴＷは［ｔ０−ＴＷ／２，ｔ０＋ＴＷ／２］として表され得る。同様に、図１Ａ中のＳＩ１のための第１のＴＷは［ｔ２−ＴＷ／２，ｔ２＋ＴＷ／２］として表され得、図１Ａ中のＳＩ２のための第１のＴＷは［ｔ４−ＴＷ／２，ｔ４＋ＴＷ／２］として表され得、図１Ａ中のＳＩ３のための第１のＴＷは［ｔ８−ＴＷ／２，ｔ８＋ＴＷ／２］として表され得る。
【００４３】
図１Ａは、第１の方式の場合の指示モード１を示す。指示モード１では、最小ＳＩのインジケータは、最小ＳＩの現在のＴＷに続く少なくとも１つの他のＳＩのＴＷ中での、少なくとも１つの他のＳＩの送信を指示する。言い換えれば、インジケータは、最小ＳＩと同じＴＷ中での他のＳＩの送信を指示するために使用されない。インジケータは、その後ＴＷ中での他のＳＩの送信を指示するために使用される。インジケータが後のＴＷ中での他のＳＩの送信を指示するので、最小ＳＩと他のＳＩとが同じＴＷ中にある場合には、最小ＳＩの送信の後に他のＳＩの送信をスケジュールすることは必須でない。さらに、要求されたＳＩのための複数の連続する送信がある場合には、インジケータ中の対応するビットは、常に、連続する送信の持続時間中にオンとしてセットされる。
【００４４】
たとえば、図１Ａに示されているように、ＢＳ（たとえば、ＮＲにおけるｇＮＢ）は、時間ｔ０の前にＵＥからＳＩ要求を受信する。次いで、ＴＷ［ｔ０−ＴＷ／２，ｔ０＋ＴＷ／２］の場合、インジケータは（１，１，１）にセットされる。これは、ＳＩ１が、最小ＳＩの現在のＴＷ［ｔ０−ＴＷ／２，ｔ０＋ＴＷ／２］に続くＴＷ［ｔ２−ＴＷ／２，ｔ２＋ＴＷ／２］中で送信されるべきであることを意味する。同様に、これはまた、ＳＩ２がＴＷ［ｔ４−ＴＷ／２，ｔ４＋ＴＷ／２］中で送信されるべきであり、ＳＩ３がＴＷ［ｔ８−ＴＷ／２，ｔ８＋ＴＷ／２］中で送信されるべきであることを意味する。したがって、ＢＳは、インジケータに一致するように、ＳＩ１をＴＷ［ｔ２−ＴＷ／２，ｔ２＋ＴＷ／２］中で送信し、ＳＩ２をＴＷ［ｔ４−ＴＷ／２，ｔ４＋ＴＷ／２］中で送信し、ＳＩ３をＴＷ［ｔ８−ＴＷ／２，ｔ８＋ＴＷ／２］中で送信することになる。これは、たとえば、ＢＳ中のスケジューラによって実装され得る。さらに、ＳＩ１のＴＷ［ｔ１０−ＴＷ／２，ｔ１０＋ＴＷ／２］、ＳＩ２のＴＷ［ｔ１２−ＴＷ／２，ｔ１２＋ＴＷ／２］およびＳＩ３のＴＷ［ｔ１６−ＴＷ／２，ｔ１６＋ＴＷ／２］中でのそれぞれＳＩ１、ＳＩ２およびＳＩ３の送信がないことになるので、インジケータは、ＴＷ［ｔ８−ＴＷ／２，ｔ８＋ＴＷ／２］の場合、（０，０，０）にセットされる。
【００４５】
図１Ｂは、第１の方式の場合の指示モード２を示す。指示モード２では、最小ＳＩのインジケータは、最小ＳＩの現在のＴＷと同じである少なくとも１つの他のＳＩのＴＷ中で、少なくとも１つの他のＳＩの送信を指示することができる。言い換えれば、インジケータは、最小ＳＩと同じＴＷ中での他のＳＩの送信を指示するために使用され得る。インジケータが、同じＴＷ中での他のＳＩの送信を指示することができるので、最小ＳＩと他のＳＩとが同じＴＷ中にある場合には、他のＳＩの送信より先に最小ＳＩの送信をスケジュールすることは必須である。指示モード１と同様に、要求されたＳＩのための複数の連続する送信がある場合には、インジケータ中の対応するビットは、常に、連続する送信の持続時間中にオンとしてセットされる。
【００４６】
たとえば、図１Ｂに示されているように、ＢＳは、時間ｔ４の前にＵＥからＳＩ要求を受信する。次いで、ＴＷ［ｔ４−ＴＷ／２，ｔ４＋ＴＷ／２］の場合、インジケータは（１，１，１）にセットされる。これは、ＳＩ１が、最小ＳＩの現在のＴＷ、すなわち、ＴＷ［ｔ４−ＴＷ／２，ｔ４＋ＴＷ／２］と同じであるＴＷ［ｔ４−ＴＷ／２，ｔ４＋ＴＷ／２］中で送信されるべきであることを意味する。同様に、これはまた、ＳＩ２がＴＷ［ｔ４−ＴＷ／２，ｔ４＋ＴＷ／２］中で送信されるべきであることを意味する。図１Ｂの例では、最小ＳＩの現在のＴＷと同じであるＳＩ３のＴＷがないことに留意されたい。この場合、ＳＩ３に対応するビット値１は、ＳＩ３がＳＩ３の後続のＴＷ、すなわち、ＴＷ［ｔ８−ＴＷ／２、ｔ８＋ＴＷ／２］中で送信されるべきであることを指示する。したがって、ＢＳは、インジケータに一致するように、ＳＩ１をＴＷ［ｔ４−ＴＷ／２，ｔ４＋ＴＷ／２］中で送信し、ＳＩ２をＴＷ［ｔ４−ＴＷ／２，ｔ４＋ＴＷ／２］中で送信し、ＳＩ３をＴＷ［ｔ８−ＴＷ／２，ｔ８＋ＴＷ／２］中で送信することになる。さらに、ＳＩ１のＴＷ［ｔ８−ＴＷ／２，ｔ８＋ＴＷ／２］、ＳＩ２のＴＷ［ｔ８−ＴＷ／２，ｔ８＋ＴＷ／２］およびＳＩ３のＴＷ［ｔ８−ＴＷ／２，ｔ８＋ＴＷ／２］中の送信があるので、インジケータは、依然として、ＴＷ［ｔ８−ＴＷ／２，ｔ８＋ＴＷ／２］の場合、（１，１，１）にセットされる。図１Ａと比較して、指示モード２に従う要求されたＳＩ送信は、ＳＩ要求の受信の直後にある、要求されたＳＩ送信の第１の利用可能なＴＷ中で開始することができるが、指示モード１に従うＳＩ送信は、いくつかの状況では、これを達成することができないことがわかり得る。
【００４７】
しかしながら、本開示は、上記の例に限定されない。別の例として、ＢＳは、要求されたＳＩの送信の前にのみインジケータビットをセットし、他の条件ではインジケータビットをリセットすることができる。これは、ＵＥが異なるＴＰをもつ複数のＳＩを望む場合には、ＵＥがＳＩ要求を送る前に最小ＳＩを複数回読み取らなければならないということを生じ得る。これは、ＵＥの電力消費を意味する。さらに別の例として、すべての他のＳＩの送信を指示するためにシングルビットインジケータが適用される。したがって、インジケータは、他のＳＩのすべてについての送信を全体として指示する。この場合、指示モード１または２が同じく適用され得る。
【００４８】
図１Ａ〜図１Ｂに示されているように、第１の方式では、ＢＳは、要求されたＳＩの発生の順序に従ってＳＩ送信を開始する。より小さいＴＰをもつ要求されたＳＩ（たとえば、ＳＩ１、ＳＩ２）は、最も大きいＴＰをもつ要求されたＳＩ（たとえば、ＳＩ３）の最後の送信まで２回以上送信される。たとえば、図１Ａでは、ＳＩ３が送信されるまで、ＳＩ１は４回送信され、ＳＩ２は２回送信される。図１Ｂでは、ＳＩ３が送信されるまで、ＳＩ１は３回送信され、ＳＩ２は２回送信される。このようにして、より小さいＴＰをもつ要求されたＳＩの信頼性は、より小さいＴＰをもつＳＩが、通常、ＵＥにとってより重要なＳＩであるので、向上させられ得る。
【００４９】
ＵＥの観点から、図１Ａおよび図１Ｂの第１の方式では、より小さいＴＰをもつＳＩの繰り返される送信の場合、ＵＥは、ＳＩのための第１の送信が正しく受信されない場合、繰り返される送信を受信し得るか、またはＵＥは、ＳＩのための第１の送信が正しく受信された場合、繰り返される送信を無視し得る。
【００５０】
図２Ａおよび図２Ｂは、本開示の第２の方式を示す図である。図２Ａは指示モード１に対応し、図２Ｂは指示モード２に対応する。第２の方式では、異なる要求されたＳＩについていくつかの繰返しがある。要求されたＳＩについての繰返しの数は、ＢＳとＵＥの両方についてあらかじめ規定されるか、またはＵＥに対して透過的であるかのいずれかであり得る。繰返しの数は、すべての要求されたＳＩについて同じであるか、または異なるＳＩについて異なるかのいずれかであり得る。ＢＳは、以下のファクタ、すなわち、セルサイズ、ＳＩ要求信号の受信信号強度、および要求されたＳＩの重要性のうちの１つまたは複数に従って、要求されたＳＩの繰返しの数を決定し得る。たとえば、ＢＳは、ラージセルカバレッジサイズ、ＳＩ要求のより弱い受信信号強度、またはより重要なＳＩの条件において、要求されたＳＩをより多くの回数繰り返し得る。特殊な例として、ＢＳは、要求されたＳＩを１回だけ送信し得る。すなわち、繰返しの数は、０になるように設定される。
【００５１】
たとえば、図２Ａ〜図２Ｂの第２の方式では、繰返しの数は、各要求されたＳＩについて１である。すなわち、送信の数は、各要求されたＳＩについて２である。図２Ａでは、インジケータ内の対応するビットは、今度のＴＷ中での要求されたＳＩのスケジュールされた送信に関してセットされる。ＢＳが、要求されたＳＩの送信を終了したとき、ＢＳは、インジケータの対応するビットをオフにセットする。図２Ｂでは、インジケータ内の対応するビットは、同じまたは今度のＴＷ中での要求ＳＩのスケジュールされた送信に関してセットされる。第２の方式が、要求されたＳＩの数が１である特殊な場合にも適用可能であることに留意されたい。
【００５２】
第１の方式と同様に、第２の方式では、要求されたＳＩの繰り返される送信の場合、ＵＥは、要求されたＳＩのための第１の送信が正しく受信されない場合、繰り返される送信を受信し得るか、またはＵＥは、要求されたＳＩのための第１の送信が正しく受信された場合、繰り返される送信を無視し得る。
【００５３】
図３Ａおよび図３Ｂは、本開示の第３の方式を示す図である。図３Ａは指示モード１に対応し、図３Ｂは指示モード２に対応する。第３の方式では、ＢＳは、すべての要求されたＳＩ間の整合ＴＷを待ち、すべての要求されたＳＩを同じ整合ＴＷ中で送る。図示のように、ＢＳは、ＳＩ１とＳＩ２とを直ちに送らないが、３つのＳＩのための整合ＴＷを待ち、３つのＳＩを整合ＴＷ中でのみ送る。インジケータビットは、整合ＴＷの前に、および整合ＴＷ中でセットされる。この方式は、より小さいＴＰのいくつかの要求されたＳＩを送信するためにある程度の遅延を生じるが、それにより、ＵＥが異なるＴＷを異なるＳＩの受信について監視するためのある程度の電力を節約することができる。
【００５４】
図４Ａおよび図４Ｂは、本開示の第４の方式を示す図である。図４Ａは指示モード１に対応し、図４Ｂは指示モード２に対応する。第４の方式では、要求されたＳＩを収集するための遅延を低減するために、ＢＳは、すべての要求されたＳＩを、最も小さいＴＰを有する要求されたＳＩ（たとえば、ＳＩ１）のためのＴＷ中で送る。したがって、ＵＥは、要求されたＳＩを監視する。図示のように、対応するインジケータビットは、要求されたＳＩの送信（または受信）が終了されるまでにＳＩ要求が受信されたとき、セットされる。この方式では、より大きいＴＰを有するあるＳＩが、そのＳＩのＴＰに従って送信されないことがあることに留意されたい。たとえば、図４Ａでは、ＳＩ２およびＳＩ３は、ＳＩ２およびＳＩ３のそれぞれのＴＰに従って送信されない。図４Ｂでは、ＳＩ３は、ＳＩ３のＴＰに従って送信されない。
【００５５】
図５Ａおよび図５Ｂは、本開示の第５の方式を示す図である。図５Ａは指示モード１に対応し、図５Ｂは指示モード２に対応する。第５の方式では、要求されたＳＩを収集するための遅延を低減するために、ＢＳは、すべての要求されたＳＩを最小ＳＩのための次のＴＷ中で送る。図示のように、対応するインジケータビットは、要求されたＳＩの送信（または繰返し）が終了されるまで、セットされる。第４の方式と同様に、より大きいＴＰを有するあるＳＩが、そのＳＩのＴＰに従って送信されないことがある。たとえば、図５Ａでは、ＳＩ２およびＳＩ３は、ＳＩ２およびＳＩ３のそれぞれのＴＰに従って送信されない。図５Ｂでは、ＳＩ１、ＳＩ２およびＳＩ３は、ＳＩ１、ＳＩ２およびＳＩ３のそれぞれのＴＰに従って送信されない。また、第５の方式が、要求されたＳＩの数が１である特殊な場合にも適用可能であることに留意されたい。
【００５６】
上記で説明された方式では、異なるＳＩの周期性不整合および／またはＳＩ送信のロバストネスが考慮される。それにより、ＢＳおよびＵＥ挙動は、オンデマンドＳＩ送信の場合に整合され得る。
【００５７】
本開示は、上記の方式に限定されないことに留意されたい。第６の方式として、オンデマンドＳＩ送信のためにインジケータをセットすることがない。ＢＳ（たとえば、ｇＮＢ）は、ＳＩ要求が受信された後でも、要求されたＳＩの対応するインジケータビットをセットしない。インジケータビットは、ＢＳが定期的な周期ＳＩブロードキャストを実施するときのみ、セットされる。この場合、ＳＩ要求をＢＳに送った後に、ＵＥは、ＳＩ送信があるかどうかをブラインド検出し得る。
【００５８】
第７の方式として、最小ＳＩは、他のＳＩの送信を指示するためのインジケータを含んでいない。この場合、ＵＥは、ＵＥの（１つまたは複数の）所望のＳＩについてのＳＩ要求をＢＳに送る。ＢＳは、ＳＩ要求の受信の後に、固定時間長内に（１つまたは複数の）要求されたＳＩを送信する。ＵＥは、ＳＩ要求を送った後に、同じ固定時間長内に（１つまたは複数の）要求されたＳＩをブラインド検出する。固定時間長は、ＢＳとＵＥとの間であらかじめ規定され得、たとえば、Ｘ送信時間間隔（ＴＴＩ）または他の時間単位（たとえば、スロット、ミニスロット、ミリ秒など）であり得る。このようにして、オンデマンドＳＩ送信のための遅延は、ＢＳとＵＥとにおけるスケジューリングおよびＳＩ監視のための追加のタイマーのための一定の複雑さの増加において、それぞれ、第４、第５および第６の方式よりもさらに小さいことがある。
【００５９】
第８の方式として、要求されたＳＩのための繰返しがあるとき、繰り返されるＳＩ送信のための反復バージョンは、コーディング利得を向上させるように調整され得る。これは、たとえば、ソフト合成技法を使用することによって実装され得る。第８の方式は、第１または第２の方式に適用され得る。たとえば、図１Ａの第１の方式では、ＳＩ１は４回送信される。ＴＷ［ｔ２−ＴＷ／２，ｔ２＋ＴＷ／２］中での第１の送信は、独立して復号され得るＳＩ１の完全なバージョンである。ＴＷ［ｔ４−ＴＷ／２，ｔ４＋ＴＷ／２］、ＴＷ［ｔ６−ＴＷ／２，ｔ６＋ＴＷ／２］およびＴＷ［ｔ８−ＴＷ／２，ｔ８＋ＴＷ／２］中での後続の送信は、不完全なバージョンである反復バージョンであり得、互いに異なり得る。第１の送信と後続の送信とは、コーディング利得を向上させるために組み合わせられ得る。
【００６０】
第９の方式として、アイドルＵＥがＳＩまたは複数のＳＩを望むとき、アイドルＵＥは、最小ＳＩによって搬送されるインジケータを検出することによって、（１つまたは複数の）所望のＳＩが送信されることになるか否かを決定するために最小ＳＩを最初に受信する。インジケータ中の１ビットのみがすべての他のＳＩのために使用される場合には、ＵＥは、このインジケータビットのオン／オフ状態に基づいて、ＵＥがＳＩ要求を送る必要があるか否かを決定する。他のＳＩごとに１つのインジケータビットがある場合には、ＵＥは、ＵＥの（１つまたは複数の）所望のＳＩに対応する（１つまたは複数の）インジケータビットのオン／オフ状態に従って、ＵＥがＳＩ要求を送る必要があるか否かを決定する。ＵＥは、所望のＳＩのためのインジケータビットがオフにセットされたとき、ＳＩ要求を送ることになる。
【００６１】
第１０の方式として、たとえば、あまりに頻繁なＳＩ要求があるとき、ネットワークは、オンデマンドＳＩ送信を無効にし、すべてのＳＩをＬＴＥのように定期的に送信することができる。たとえば、システムは、あらかじめ設定された送信ウィンドウに従ってＳＩ送信を実施することができ、したがって、ＵＥはＳＩを監視する。この場合、ネットワークは、ＳＩ要求送信のための無線リソースを予約せず、ＵＥは、もはやＳＩ要求を送信しないものとする。最小ＳＩは、ＵＥがＳＩ要求を送ることを許可されているかどうかを指示することができる。一例として、最小ＳＩのインジケータは、ＳＩ要求を送らないようにＵＥに通知するために特殊値にセットされる。別の例として、オンデマンドＳＩ要求のためのイネーブラとして、ビットが最小ＳＩ中に追加される。
【００６２】
図６は、本開示の一実施形態による、システム情報を送信するための方法を示すフローチャートである。本方法は、ｇＮＢなどの基地局のプロセッサとメモリとによって実施され得る。ステップ６０２において、最小ＳＩメッセージが送信される。上記で説明されたように、最小ＳＩメッセージは、少なくとも１つの追加のＳＩメッセージの送信に関する情報を備え得る。最小ＳＩメッセージは、少なくとも１つの追加のＳＩメッセージの送信を指示するためのインジケータを備え得、インジケータは、少なくとも１つの追加のＳＩメッセージが周期的にブロードキャストされることをさらに指示し得る。
【００６３】
ステップ６０４において、少なくとも１つの追加のＳＩメッセージは、最小ＳＩメッセージ中の情報に従って送信される。「追加のＳＩ」という用語は、上記で説明された「他のＳＩ」を指し、これらの２つの用語は、本開示では互換的に使用され得る。
【００６４】
図７は、図６の方法を説明するためのフローチャートである。ステップ７０４−２において、少なくとも２つの追加のＳＩメッセージのうちの最も大きいＴＰを有する追加のＳＩメッセージが送信されるまで、少なくとも２つの追加のＳＩメッセージのそれぞれのＴＰに従って、少なくとも２つの追加のＳＩメッセージが送信され、その結果、より小さいＴＰを有する追加のＳＩメッセージが２回以上送信される。これは、上記で説明された第１の方式に対応する。
【００６５】
代替的に、ステップ７０４−３において、少なくとも１つの追加のＳＩメッセージの各々は、少なくとも１つの追加のＳＩメッセージの各々の所定の時間の間、各追加のＳＩメッセージのＴＰに従って送信される。これは、上記で説明された第２の方式に対応する。代替的に、ステップ７０４−４において、少なくとも２つの追加のＳＩメッセージは、少なくとも２つの追加のＳＩメッセージ間の整合ＴＷ中でのみ送信される。これは、上記で説明された第３の方式に対応する。代替的に、ステップ７０４−５において、少なくとも２つの追加のＳＩメッセージは、少なくとも２つの追加のＳＩメッセージのうちの最も小さいＴＰを有する追加のＳＩメッセージのためのＴＷ中で送信される。これは、上記で説明された第４の方式に対応する。代替的に、ステップ７０４−６において、少なくとも１つの追加のＳＩメッセージは、最小ＳＩメッセージのＴＷ中で送信される。これは、上記で説明された第５の方式に対応する。上記で説明されたステップ７０４−２〜７０４−６では、インジケータは、上記で説明された第９の方式で説明されたように、ＵＥからの要求に応答してセットされ得る。
【００６６】
随意に、上記の例では、インジケータは、第１の指示モードまたは第２の指示モードによって少なくとも１つの追加のＳＩメッセージの送信を指示し得る。第１の指示モードは、最小ＳＩメッセージの現在のＴＷに続く少なくとも１つの追加のＳＩメッセージのＴＷ中での、少なくとも１つの追加のＳＩメッセージの送信を指示する。これは、たとえば、図１Ａ、図２Ａ、図３Ａ、図４Ａおよび図５Ａに対応する。第２の指示モードは、最小ＳＩメッセージの現在のＴＷと同じである少なくとも１つの追加のＳＩメッセージのＴＷ中での、少なくとも１つの追加のＳＩメッセージの送信を指示する。これは、たとえば、図１Ｂ、図２Ｂ、図３Ｂ、図４Ｂおよび図５Ｂに対応する。
【００６７】
図８は、本開示の一実施形態による、システム情報を受信するための方法を示すフローチャートである。本方法は、ユーザ機器のプロセッサとメモリとによって実施され得る。ステップ８０２において、最小ＳＩメッセージがＢＳから受信される。このステップは、ＬＴＥと同様であり得る。上記で説明されたように、最小ＳＩメッセージは、少なくとも１つの追加のＳＩメッセージの送信に関する情報を備え得る。最小ＳＩメッセージは、少なくとも１つの追加のＳＩメッセージの送信を指示するためのインジケータを備え得、インジケータは、少なくとも１つの追加のＳＩメッセージが周期的にブロードキャストされることをさらに指示し得る。次いで、ステップ８０４において、少なくとも１つの追加のＳＩメッセージは、最小ＳＩメッセージ中の情報に従ってＢＳから取得される。
【００６８】
図９は、図８の方法を説明するためのフローチャートである。ステップ９０２において、最小ＳＩメッセージがＢＳから受信される。このステップは、ステップ８０２と同様であり得る。次いで、ステップ９１０において、少なくとも１つの追加のＳＩメッセージ中の追加のＳＩメッセージについて、インジケータに基づいて追加のＳＩメッセージが送信されるべきであるかどうかが決定される。ステップ９１０における決定結果が肯定である場合、ステップ９１２において、追加のＳＩメッセージがインジケータに従って受信される。一例として、少なくとも２つの追加のＳＩメッセージは、少なくとも２つの追加のＳＩメッセージ間の整合ＴＷ中でのみ受信される。これは、上記で説明された第３の方式に対応する。別の例として、少なくとも２つの追加のＳＩメッセージは、少なくとも２つの追加のＳＩメッセージのうちの最も小さいＴＰを有する追加のＳＩメッセージのためのＴＷ中で受信される。これは、上記で説明された第４の方式に対応する。さらに別の例として、少なくとも１つの追加のＳＩメッセージは、最小ＳＩメッセージのＴＷ中で受信される。これは、上記で説明された第５の方式に対応する。
【００６９】
一方、ステップ９１０における決定結果が否定である場合、ステップ９１４において、追加のＳＩメッセージについての要求がＢＳに送信される。次いで、ステップ９０２、９１０および９１２は、再び繰り返され得る。このようにして、新しい最小ＳＩメッセージが受信される。新しい最小ＳＩメッセージは、要求されたＳＩメッセージの送信を指示するインジケータを含んでいる。次いで、要求されたＳＩメッセージは、新しい最小ＳＩメッセージのインジケータに基づいて受信され得る。
【００７０】
図１０は、本開示の一実施形態による、基地局を示すブロック図である。図示のように、基地局１０００はプロセッサ１００２とメモリ１００４とを備える。メモリ１００４は、図６、図７Ａおよび図７Ｂを参照しながら上記で説明された方法ステップを基地局１０００に実施させるためにプロセッサ１００２によって実行され得る命令を含んでいる。その上、基地局１０００の他の設定は当業者によく知られていることがあり、したがって、他の設定の詳細な説明は、ここでは省略される。
【００７１】
別の実施形態として、基地局は、最小ＳＩメッセージ送信モジュールと追加ＳＩメッセージ送信モジュールとを備え得る。最小ＳＩ送信モジュールは、最小ＳＩメッセージを送信するように設定される。上記で説明されたように、最小ＳＩメッセージは、少なくとも１つの追加のＳＩメッセージの送信に関する情報を備え得る。最小ＳＩメッセージは、少なくとも１つの追加のＳＩメッセージの送信を指示するためのインジケータを備え得、インジケータは、少なくとも１つの追加のＳＩメッセージが周期的にブロードキャストされることをさらに指示し得る。追加ＳＩメッセージ送信モジュールは、最小ＳＩメッセージ中の情報に従って少なくとも１つの追加のＳＩメッセージを送信するように設定される。
【００７２】
随意に、最小ＳＩメッセージ送信モジュールは、ＵＥからの要求に応答してインジケータをセットするように設定され得る。さらに、随意に、追加ＳＩメッセージ送信モジュールは、少なくとも２つの追加のＳＩメッセージのうちの最も大きいＴＰを有する追加のＳＩメッセージが送信されるまで、少なくとも２つの追加のＳＩメッセージのそれぞれのＴＰに従って少なくとも２つの追加のＳＩメッセージを送信することであって、その結果、より小さいＴＰを有する追加のＳＩメッセージが２回以上送信される、送信することを行うように設定され得る。別の例として、追加ＳＩメッセージ送信モジュールは、少なくとも１つの追加のＳＩメッセージの各々を、少なくとも１つの追加のＳＩメッセージの各々の所定の時間の間、各追加のＳＩメッセージのＴＰに従って送信するように設定され得る。さらに別の例として、追加ＳＩメッセージ送信モジュールは、少なくとも２つの追加のＳＩメッセージ間の整合ＴＷ中でのみ、少なくとも２つの追加のＳＩメッセージを送信するように設定され得る。さらに別の例として、追加ＳＩメッセージ送信モジュールは、少なくとも２つの追加のＳＩメッセージのうちの最も小さいＴＰを有する追加のＳＩメッセージのためのＴＷ中で少なくとも２つの追加のＳＩメッセージを送信するように設定され得る。さらに別の例として、追加ＳＩメッセージ送信モジュールは、最小ＳＩメッセージのＴＷ中で少なくとも１つの追加のＳＩメッセージを送信するように設定され得る。
【００７３】
図１１は、本開示の一実施形態による、ユーザ機器を示すブロック図である。図示のように、ユーザ機器１１００はプロセッサ１１０２とメモリ１１０４とを備える。メモリ１１０４は、図８、図９Ａおよび図９Ｂを参照しながら上記で説明された方法ステップをユーザ機器１１００に実施させるためにプロセッサ１１０２によって実行され得る命令を含んでいる。その上、ユーザ機器１１００の他の設定は当業者によく知られていることがあり、したがって、他の設定の詳細な説明は、ここでは省略される。
【００７４】
別の実施形態として、ユーザ機器は、受信モジュールと取得モジュールとを備え得る。受信モジュールは、ＢＳから最小ＳＩメッセージを受信するように設定される。上記で説明されたように、最小ＳＩメッセージは、少なくとも１つの追加のＳＩメッセージの送信に関する情報を備え得る。最小ＳＩメッセージは、少なくとも１つの追加のＳＩメッセージの送信を指示するためのインジケータを備え得、インジケータは、少なくとも１つの追加のＳＩメッセージが周期的にブロードキャストされることをさらに指示し得る。取得モジュールは、最小ＳＩメッセージ中の情報に従ってＢＳから少なくとも１つの追加のＳＩメッセージを取得するように設定される。
【００７５】
随意に、取得モジュールは、少なくとも１つの追加のＳＩメッセージを、少なくとも１つの追加のＳＩメッセージ中の追加のＳＩメッセージについて、インジケータに基づいて追加のＳＩメッセージが送信されるべきであるかどうかを決定することと、肯定の決定結果に応答して、インジケータに従って追加のＳＩメッセージを受信することと、否定の決定結果に応答して、追加のＳＩメッセージについての要求をＢＳに送信することとによって、取得するように設定され得る。
【００７６】
概して、様々な例示的な実施形態は、ハードウェアまたは専用回路、ソフトウェア、論理あるいはそれらの任意の組合せで実装され得る。たとえば、いくつかの態様は、ハードウェアで実装され得、他の態様は、コントローラ、マイクロプロセッサまたは他のコンピューティングデバイスによって実行され得るファームウェアまたはソフトウェアで実装され得るが、本開示はそれらに限定されない。本開示の例示的な実施形態の様々な態様は、ブロック図として、フローチャートとして、または何らかの他の図式表現を使用して、例示および説明され得るが、本明細書で説明されるこれらのブロック、装置、システム、技法または方法は、非限定的な例として、ハードウェア、ソフトウェア、ファームウェア、専用回路または論理、汎用ハードウェアまたはコントローラまたは他のコンピューティングデバイス、あるいはそれらの何らかの組合せで実装され得ることがよく理解されよう。
【００７７】
したがって、本開示の例示的な実施形態の少なくともいくつかの態様は、集積回路チップおよびモジュールなど、様々な構成要素において実施され得ることを諒解されたい。したがって、本開示の例示的な実施形態は、集積回路として具現される装置において実現され得、ここで、集積回路が、本開示の例示的な実施形態に従って動作するように設定可能であるデータプロセッサ、デジタル信号プロセッサ、ベースバンド回路および無線周波数回路のうちの少なくとも１つまたは複数を具現するための回路（ならびに場合によってはファームウェア）を備え得ることを諒解されたい。
【００７８】
本開示の例示的な実施形態の少なくともいくつかの態様は、１つまたは複数のコンピュータまたは他のデバイスによって実行される、１つまたは複数のプログラムモジュールなどにおける、コンピュータ実行可能命令において具現され得ることを諒解されたい。概して、プログラムモジュールは、コンピュータまたは他のデバイス中のプロセッサによって実行されたとき、特定のタスクを実施するか、または特定の抽象データ型を実装する、ルーチン、プログラム、オブジェクト、構成要素、データ構造などを含む。コンピュータ実行可能命令は、ハードディスク、光ディスク、リムーバブル記憶媒体、固体メモリ、ＲＡＭなど、コンピュータ可読媒体上に記憶され得る。当業者によって諒解されるように、プログラムモジュールの機能は、様々な実施形態において必要に応じて、組み合わせられるか、または分散させられ得る。さらに、機能は、集積回路、フィールドプログラマブルゲートアレイ（ＦＰＧＡ）など、ファームウェアまたはハードウェア等価物において全体的にまたは部分的に具現され得る。
【００７９】
本開示は、明示的に本明細書で開示される新規の特徴または特徴の組合せあるいはその一般化を含む。本開示の上記の例示的な実施形態に対する様々な変更および適応は、当業者には、添付の図面とともに読まれると、上記の説明に鑑みて明らかになり得る。しかしながら、任意のおよびすべての変更が、依然として、本開示の非限定的および例示的な実施形態の範囲内に入る。
【図１Ａ】
0006899440.tif 000003
【図１Ｂ】
0006899440.tif 000004
【図２Ａ】
0006899440.tif 000005
【図２Ｂ】
0006899440.tif 000006
【図３Ａ】
0006899440.tif 000007
【図３Ｂ】
0006899440.tif 000008
【図４Ａ】
0006899440.tif 000009
【図４Ｂ】
0006899440.tif 000010
【図５Ａ】
0006899440.tif 000011
【図５Ｂ】
0006899440.tif 000012
【図６】
0006899440.tif 000013
【図７】
0006899440.tif 000014
【図８】
0006899440.tif 000015
【図９】
0006899440.tif 000016
【図１０】
0006899440.tif 000017
【図１１】
0006899440.tif 000018